(57)【要約】【課題】一戸建住宅や集合住宅の床下や壁裏、天井裏に配設される管継手にパイプを挿入する際にシール部材が管継手からはみ出すことのない管継手のシール部材逸脱防止構造及び逸脱防止方法を提供する。【解決手段】継手本体１０と、一端がパイプＰの端部に挿入され他端が継手本体１０に挿入されると共に当該パイプＰ及び継手本体１０への各挿入部にシール部を有したインコア７０と、継手本体内に収容され当該継手本体内に挿入されるパイプＰと継手本体間の止水を図る止水用シール部材２０とを備え、止水用シール部材２０を継手本体１０に接着剤を介して固着することで、管継手にパイプを挿入する際にシール部材２０が管継手からはみ出さないようにする。【選択図】図１
2007239806.tif 000002
【特許請求の範囲】
【請求項１】
継手本体と、一端がパイプの端部に挿入され他端が前記継手本体に挿入されると共に当該パイプ及び継手本体への各挿入部にシール部を有したインコアと、前記継手本体内に収容され当該継手本体内に挿入されるパイプと継手本体間の止水を図る止水用シール部材とを備え、
前記止水用シール部材を継手本体に接着剤を介して固着したことを特徴とする管継手の止水用シール部材逸脱防止構造。
【請求項２】
継手本体と、一端がパイプの端部に挿入され他端が前記継手本体に挿入されると共に当該パイプ及び継手本体への各挿入部にシール部を有したインコアと、前記継手本体内に収容され当該継手本体内に挿入されるパイプと継手本体間の止水を図る止水用シール部材とを備え、
前記止水用シール部材がＯ−リングからなり、当該Ｏ−リングの少なくとも内周面が当該継手本体のパイプ挿入側開口部に向かって拡径するようにテーパ状をなして前記継手本体内に収容されていることを特徴とする管継手の止水用シール部材逸脱防止構造。
【請求項３】
継手本体と、一端がパイプの端部に挿入され他端が前記継手本体に挿入されると共に当該パイプ及び継手本体への各挿入部にシール部を有したインコアと、前記継手本体内に収容され当該継手本体内に挿入されるパイプと継手本体間の止水を図る止水用シール部材とを備え、
前記止水用シール部材がＯ−リングからなり、当該Ｏ−リングがその表面に潤滑剤又は潤滑層を有する２層構造のＯ−リングからなることを特徴とする管継手の止水用シール部材逸脱防止構造。
【請求項４】
前記継手本体が、前記止水用シール部材に加えて、前記継手本体内に挿入されるパイプの当該継手本体内からの抜けを防止するグリップリング、前記止水用シール部材を前記継手本体内に保持するスペーサ、前記パイプ把持のために前記グリップリングを縮径させるサポートカラーと、前記継手本体に被着され、前記止水用シール部材、グリップリング、スペーサ、サポートカラーの継手本体からの抜け落ちを防止するエンドキャップを備えたことを特徴とする、請求項１乃至請求項３の何れかに記載の管継手の止水用シール部材逸脱防止構造。
【請求項５】
継手本体と、一端がパイプに挿入され他端が前記継手本体に挿入されると共に当該パイプ及び継手本体への各挿入部にシール部を有したインコアと、前記継手本体内に収容され当該継手本体内に挿入されるパイプと継手本体間の止水を図る止水用シール部材とを備えた管継手の止水用シール部材逸脱防止方法であって、
前記継手本体内への挿入方向先端に向かって徐々に縮径するテーパ部が前記インコアに備わり、当該テーパ部から前記継手本体内に前記インコアを挿入することで当該継手本体内の止水用シール部材にインコア先端部が局所的に干渉することなく当該止水用シール部材を当該インコア先端部が通過するようにしたことを特徴とする管継手の止水用シール部材逸脱防止方法。
【請求項６】
継手本体と、一端がパイプに挿入され他端が前記継手本体に挿入されると共に当該パイプ及び継手本体への各挿入部にシール部を有したインコアと、前記継手本体内に収容され当該継手本体内に挿入されるパイプと継手本体間の止水を図る止水用シール部材とを備えた管継手の止水用シール部材逸脱防止方法であって、
前記継手本体内への前記インコアの挿入ガイド部を長くすると共に、当該挿入ガイド部に前記インコアを挿入する過程で前記インコアの挿入方向を継手本体内におけるインコア収容状態の軸線と合致させ、前記継手本体内の止水用シール部材にインコア先端部が局所的に干渉することなく当該止水用シール部材を当該インコア先端部が通過するようにしたことを特徴とする管継手の止水用シール部材逸脱防止方法。
【請求項７】
請求項１乃至請求項４に記載の管継手の止水用シール部材逸脱防止構造を備えた管継手の接続されたヘッダー。
【発明の詳細な説明】
【技術分野】
【０００１】
本発明は、例えば一戸建住宅や集合住宅等の建築構造物内に配設される給水管や給湯管などに使用される管継手の止水用シール部材逸脱防止構造及び逸脱防止方法に関する。
【背景技術】
【０００２】
例えば一戸建住宅や集合住宅等に暮らす人々の家庭において、料理や洗濯、入浴等を同時に可能とするために、家屋内には水回りの配管が方々に張り巡らされており、これらの配管同士を接続するのに管継手が多数用いられている。これらの配管同士及び管継手は家屋の床下や壁体内、天井裏に配設されているので、管継手の配管接続部から万が一水漏れが生じると大変な事態になる。そのため、管継手にはＯ−リングからなる幾つかのシール部材が備わり、管継手外部に対する止水を図っている。
【０００３】
かかる従来型の管継手の構造について説明する。この従来型の管継手１は、図２に示すように、異型筒型の継手本体１０と、継手本体内に収容された内装部材である断面円形状を有する止水用のＯ−リング２０と、Ｏ−リング２０を管継手内で保持するスペーサ３０と、パイプＰを把持してパイプＰの抜けを防止するグリップリング４０と、グリップリング４０でパイプＰを把持させるためにグリップリング４０を縮径させるサポートカラー５０と、継手本体１０からこれらの各内装部材が抜け落ちないようにカバーするエンドキャップ６０を備えている。また、パイプＰに一端が液密に挿入されると共に継手本体１０に他端が液密に挿入されるインコア７０を備えている。
【０００４】
そして、管継手１を組付けるにあたって、継手本体１０に上述した内装部材をすべて挿入した後、エンドキャップ６０をカシメ若しくはネジ込んで継手本体１０に被着させる。なお、管継手内でのパイプＰ及びインコア７０の外部に対する止水は、インコア７０に設けられたＯ−リング７２，７３を介してパイプ内面をシールすると共に、Ｏ−リング２０，７１を介してパイプ外面をシールすることで達成するようになっている（例えば、特許文献１参照）。
【特許文献１】特開２００５−１０６２４７号公報（４−６頁、図２）
【発明の開示】
【発明が解決しようとする課題】
【０００５】
しかしながら、管継手１は、一戸建住宅や集合住宅の床下や壁裏、天井裏に配設されるので、例えばヘッダー（図３参照）に装着された管継手１にパイプＰを挿入する場合、作業者は手探りで障害物を避けながらパイプ挿入作業を行わなければならない場合が多い。そのため、パイプＰの配設時に管継手１に対してパイプＰが斜め挿入される場合がある。このようなパイプの斜め挿入を無理やり行うと、インコア７０の端部の一部が断面円形状のＯ−リング２０の内周の一部に局所的に当りながら、図２に示すＯ−リング２０を捲り上げ、Ｏ−リング２０を管継手内の所定の収容位置から押し出して、Ｏ−リング２０の一部が管継手１からはみ出し、シール性を確保できなくなる場合がある。
【０００６】
このような管継手１は、一戸建住宅や集合住宅の床下や壁裏、天井裏に配設されているので、Ｏ−リング２０がこのように管継手１からはみ出すことで止水性が確保できなくなり、この部分から万が一水漏れが生じると大変な事態になる。特にこのような管継手１は、一旦一戸建住宅や集合住宅の床下や壁裏、天井裏に配設されると１０年単位での長期間はそのまま使用され続けるので、配設時にＯ−リング２０が管継手１の所定の収容位置から逸脱するような不具合が生じたままこれを放置すると、水漏れによる床下や壁裏、天井裏の受ける被害が大きくなる。
【０００７】
本発明の目的は、一戸建住宅や集合住宅の床下や壁裏、天井裏に配設される管継手にパイプを挿入する際にシール部材が管継手からはみ出すことのない管継手のシール部材逸脱防止構造及び逸脱防止方法を提供することにある。
【課題を解決するための手段】
【０００８】
上述の課題を解決するために、本発明にかかる管継手の止水用シール部材逸脱防止構造は、
継手本体と、一端がパイプの端部に挿入され他端が前記継手本体に挿入されると共に当該パイプ及び継手本体への各挿入部にシール部を有したインコアと、前記継手本体内に収容され当該継手本体内に挿入されるパイプと継手本体間の止水を図る止水用シール部材とを備え、
前記止水用シール部材を継手本体に接着剤を介して固着したことを特徴としている。
【０００９】
止水用シール部材を継手本体に接着剤を介して固着したことで、継手本体にパイプを挿入する際に仮にパイプ斜め挿入となってインコア先端が止水用シール部材を継手本体内から局所的に引き離そうとしても、止水用シール部材は接着剤の接着力によって継手本体から離れることはなく、管継手から止水用シール部材が逸脱するのを防止する。
【００１０】
また、本発明の請求項２に記載の管継手の止水用シール部材逸脱防止構造は、
継手本体と、一端がパイプの端部に挿入され他端が前記継手本体に挿入されると共に当該パイプ及び継手本体への各挿入部にシール部を有したインコアと、前記継手本体内に収容され当該継手本体内に挿入されるパイプと継手本体間の止水を図る止水用シール部材とを備え、
前記止水用シール部材がＯ−リングからなり、当該Ｏ−リングの少なくとも内周面が当該継手本体のパイプ挿入側開口部に向かって拡径するようにテーパ状をなして前記継手本体内に収容されていることを特徴としている。
【００１１】
止水用シール部材がこのような内周面を有するＯ−リングからなることで、継手本体にパイプを挿入する際に仮にパイプ斜め挿入となっても、このＯ−リングの特別な断面形状によりインコアの先端がＯ−リングに局所的に当りにくくし、管継手から止水用シール部材が逸脱するのを防止する。
【００１２】
また、本発明の請求項３に記載の管継手の止水用シール部材逸脱防止構造は、
継手本体と、一端がパイプの端部に挿入され他端が前記継手本体に挿入されると共に当該パイプ及び継手本体への各挿入部にシール部を有したインコアと、前記継手本体内に収容され当該継手本体内に挿入されるパイプと継手本体間の止水を図る止水用シール部材とを備え、
前記止水用シール部材がＯ−リングからなり、当該Ｏ−リングがその表面に潤滑剤又は潤滑層を有する２層構造のＯ−リングからなることを特徴としている。
【００１３】
止水用シール部材がこのような二層構造のＯ−リングからなることで、継手本体にパイプを挿入する際に仮にパイプ斜め挿入となっても、この潤滑剤又は潤滑層によりインコアの先端が止水用シール部材に引っ掛かり難くなり、管継手から止水用シール部材が逸脱するのを防止する。
【００１４】
また、本発明の請求項４に記載の管継手の止水用シール部材逸脱防止構造は、請求項１乃至請求項３の何れかに記載の管継手の止水用シール部材逸脱防止構造において、
前記継手本体が、前記止水用シール部材に加えて、前記継手本体内に挿入されるパイプの当該継手本体内からの抜けを防止するグリップリング、前記止水用シール部材を前記継手本体内に保持するスペーサ、前記パイプ把持のために前記グリップリングを縮径させるサポートカラーと、前記継手本体に被着され、前記止水用シール部材、グリップリング、スペーサ、サポートカラーの継手本体からの抜け落ちを防止するエンドキャップを備えたことを特徴としている。
【００１５】
継手本体内にこのような様々な部品が内装されていると、その内装スペースを確保する必要上、継手本体にパイプを挿入する際にパイプ斜め挿入となったまま挿入され易くなるが、請求項１乃至請求項３の何れかに記載の管継手の止水用シール部材逸脱防止構造を有することで、インコアの先端が止水用シール部材に局所的に当りにくくし、管継手から止水用シール部材が逸脱するのを防止する。
【００１６】
また、本発明の請求項５に記載の管継手の止水用シール部材逸脱防止方法は、
継手本体と、一端がパイプに挿入され他端が継手本体に挿入されると共にパイプ及び継手本体への各挿入部にシール部を有したインコアと、前記継手本体内に収容され当該継手本体内に挿入されるパイプと継手本体間の止水を図る止水用シール部材とを備えた管継手の止水用シール部材逸脱防止方法であって、
前記継手本体内への挿入方向先端に向かって徐々に縮径するテーパ部が前記インコアに備わり、当該テーパ部から前記継手本体内に前記インコアを挿入することで当該継手本体内の止水用シール部材にインコア先端部が局所的に干渉することなく当該止水用シール部材を当該インコア先端部が通過するようにしたことを特徴としている。
【００１７】
このようなテーパ部をインコアが有することで、継手本体にパイプを挿入する際に仮にパイプ斜め挿入となっても、インコアの先端が止水用シール部材に局所的に当たらないようにし、管継手から止水用シール部材が逸脱するのを防止する。
【００１８】
また、本発明の請求項６に記載の管継手の止水用シール部材逸脱防止方法は、
継手本体と、一端がパイプに挿入され他端が継手本体に挿入されると共にパイプ及び継手本体への各挿入部にシール部を有したインコアと、前記継手本体内に収容され当該継手本体内に挿入されるパイプと継手本体間の止水を図る止水用シール部材とを備えた管継手の止水用シール部材逸脱防止方法であって、
前記継手本体内への前記インコアの挿入ガイド部を長くすると共に、当該挿入ガイド部に前記インコアを挿入することで前記継手本体内の止水用シール部材にインコア先端部が局所的に干渉することなく当該止水用シール部材を当該インコア先端部が通過するようにしたことを特徴としている。
【００１９】
このようなガイド部を継手本体に備えることで、継手本体にパイプを挿入する際に仮にパイプ斜め挿入となっても、インコアに調芯作用が働き、インコアの軸線を継手本体の軸線に素早く合致させてインコアの先端が止水用シール部材に局所的に当たらないようにし、管継手から止水用シール部材が逸脱するのを防止する。
【００２０】
また、本発明の請求項７に記載のヘッダーは、請求項１乃至請求項４に記載の管継手の止水用シール部材逸脱防止構造を備えた管継手の接続されたヘッダーである。
【００２１】
このような止水用シール部材逸脱防止構造を備えた管継手をヘッダーに接続することで、長期間にわたって水漏れのおそれのないヘッダーとして使用することが可能となる。
【発明の効果】
【００２２】
本発明によると、一戸建住宅や集合住宅の床下や壁裏、天井裏に配設される管継手にパイプを挿入する際にシール部材が管継手からはみ出すことのない管継手のシール部材逸脱防止構造及び逸脱防止方法を提供することができる。
【発明を実施するための最良の形態】
【００２３】
以下、本発明の一実施形態にかかる管継手について図面に基づいて説明する。本発明の一実施形態にかかる管継手１は、図１及び図２に示すように、例えば砲金等の金属でできた異型筒型の継手本体１０と、パイプＰに一端が液密に挿入されると共に継手本体１０に他端が液密に挿入されるインコア７０（図２参照）とを備えている。そして、継手本体１０は、止水用シール部材としてのＯ−リング２０、Ｏ−リング２０のシール面を保持するスペーサ３０、パイプ外周を把持してパイプの抜けを防止するグリップリング４０、及びグリップリング４０でパイプを把持させるためにグリップリング４０を縮径させるサポートカラー５０と、継手本体１０からこれらの内装部材が抜け落ちないようにカバーするエンドキャップ６０を備えている。
【００２４】
そして、継手本体１０の内部には、接続されるパイプＰが挿入される挿入端側から他端に向けて軸方向に貫通する内腔部が形成され、この内腔部はパイプＰ（図２参照）が挿入される挿入端側から図１に示すように長手方向の順に大径部１１、中径部１２、他端に貫通する小径部１３からなっている。
【００２５】
大径部１１内には、中径部１２に隣接するシール収容部１１ａに止水用部材であるＯ−リング２０が収納されている。なお、Ｏ−リング２０は継手本体１０に接着剤を介して固着されており、本実施形態では接着剤として例えばシアノアクリレート系接着剤が使用されている。
【００２６】
また、Ｏ−リング２０の断面形状は、図２の楕円形状とは異なり、図１に示すようにＯ−リング２０の少なくとも内周面が継手本体１０のパイプ挿入側開口部に向かって拡径するようにテーパ状をなし、このＯ−リング２０が継手本体内に収容されている。
【００２７】
また、Ｏ−リング２０は例えばＥＰＤＭ（エチレンプロピレンブタジエンゴム）でできており、その表面に潤滑剤又は潤滑層を有する２層構造を有している。
【００２８】
また、グリップリング４０はＯ−リング２０との間にスペーサ３０を挟持した状態で収納されている。スペーサ３０やグリップリング４０には、例えば変性ＰＰＯ（ポリフェニレンオキサイド）などの耐熱性と耐薬品性を兼ね備えたエンジニアリングプラスチック（エンプラ）又はこれに更に耐熱温度を高めたスーパーエンプラでできた成形品を用いている。なお、グリップリング４０には、例えばステンレス製の切片が一部露出する状態で一体成形されていて、これがパイプ脱抜時にパイプ外表面に食い込む係止爪４１として作用するようになっている。
【００２９】
また、グリップリング４０には、その周方向の一部にスリット（図示せず）が設けられている。そして、継手本体１０内にパイプＰの先端部が挿入された際に例えばＰＥ（ポリエチレン）でできたパイプＰの外表面に係止爪４１が食い込み、パイプＰが継手本体１０から抜けないようになっている。より詳細には、係止爪４１はパイプＰを継手本体１０に一度接続した後に管継手１から抜こうとすると、パイプＰの外面により食い込む方向に傾けられるようにグリップリング４０と一体成形されている。
【００３０】
また、グリップリング４０よりも継手本体１０のパイプ挿入用開口部側に向かって例えば同じく変性ＰＰＯ（ポリフェニレンオキサイド）などのエンプラやスーパーエンプラでできたサポートカラー５０が介装され、エンドキャップ６０によってこれらの部品が継手本体１０に収容されている。サポートカラー５０とエンドキャップ６０は大径部１０の入口端に装着され、両者が協働してＯ−リング２０、スペーサ３０、及びグリップリング４０を継手本体１０の大径部１１から脱落させない役目を果たしている。
【００３１】
また、エンドキャップ６０は例えばステンレス鋼等の金属でできており、一端でサポートカラー５０が継手本体１０の大径部１１から抜け落ちないようにサポートカラー５０の一部を覆うと共に、その他端は継手本体１０の外表面上で加締められ継手本体１０に一体化されている。
【００３２】
また、サポートカラー５０の内面、すなわちグリップリング４０との接触面は、継手本体１０の大径部１１の入口側に向けて縮径する形状のテーパ面になっていて、管継手１に接続されたパイプＰを管継手１から抜き取るような外力が作用した際にその周方向の一部にスリットを有するグリップリング４０がこのテーパ状の接触面により内側方向に力を受けて縮径するようになっている。その結果、係止爪４１も内側に力を受け、パイプＰの外面により一層食い込むことになり、パイプＰがより一層管継手１から抜け難く作用するようになっている。
【００３３】
図２は、管継手１に接続されたパイプＰの先端部を示し、このパイプＰの先端にはインコア７０が装着されている。インコア７０は、管継手１とパイプＰの止水性を高める役目を果たしている。具体的には、例えばパイプＰがＰＥ（ポリエチレン）などでできた柔らかく変形し易いものであると、パイプＰと管継手１を接続した場合には、両者間に高い止水性を求めることができない。そのため、パイプＰが変形し難いようにパイプＰの内部にインコア７０を嵌入してパイプＰの変形を防止し、管継手１とこれに接続されたパイプＰとの間の止水性能を長期にわたって確保するようにしている。このような目的からインコア７０は例えば砲金等の金属でできている。
【００３４】
インコア７０の外表面には、その先端から順にＯ−リング７１，７２，７３が装着されている。また、鍔部７４は一端でパイプＰの先端位置を規制し、他端は継手本体１０への挿入時の挿入抵抗を緩和できるように先端部に向けて縮径するテーパ面になっている。
【００３５】
また、インコア７０の継手本体内への挿入方向先端部には徐々に縮径するテーパ部７０ａが備わり、このテーパ部７０ａから継手本体内に挿入することで継手本体内のＯ−リング２０をインコア先端部が局所的に引っ掛けることなく通過するようになっている。
【００３６】
なお、図２から明らかなように、パイプＰの外周面と継手本体１０の内側面とはＯリング７１とＯ−リング２０とで止水され、パイプＰの内周面とインコア７０の外周面とはＯリング７２，７３で止水されている。
【００３７】
そして、この状態で仮にパイプＰを管継手１から抜こうとして図２に向かって上方向、即ちパイプＰを上方に引っ張った場合、係止爪４１がパイプＰの外面に既にバイプ挿入時に噛みついた状態になっているので、パイプＰと共にグリップリング４０も図２中上方向に一緒に移動する。グリップリング４０が上方向に移動すると、このグリップリング４０にはその周方向の一部にスリットが設けられているため、サポートカラー５０との接触面により半径方向内側に力を受けて縮径する。その結果、係止爪４１は更にパイプＰの外面に食い込み、パイプＰが管継手１から一層抜け難くなるようになっている。
【００３８】
続いて、上述した構成を有する管継手１に関する本発明特有の作用について説明する。本発明特有の作用は、本発明の課題で説明したように、パイプＰを継手本体１０に斜めに挿入した場合に発揮される。
【００３９】
具体的には、Ｏ−リング２０を継手本体１０に接着剤を介して固着しているので、継手本体１０にパイプＰを挿入する際に仮にパイプ斜め挿入となってインコア７０の先端によってＯ−リング２０の一部が局所的に捲れ上げられそうになっても、Ｏ−リング２０を継手本体内に固着させる接着剤の接着力によってＯ−リング２０の一部が継手本体１０から捲れ上がることはなく、管継手１からＯ−リング２０が逸脱するのを防止する。
【００４０】
また、止水用シール部材としてのＯ−リング２０の少なくとも内周面が当該継手本体のパイプ挿入側開口部に向かって拡径するようにテーパ状をなしてＯ−リング２０が継手本体内に収容されてので、継手本体１０にパイプＰを挿入する際に仮にパイプ斜め挿入となっても、このＯ−リング２０の楕円形状によりパイプＰの先端がＯ−リング２０に局所的に当たりにくく、管継手１からＯ−リング２０が逸脱するのを防止する。
【００４１】
更に、止水用シール部材であるＯ−リング２０がその表面に潤滑剤又は潤滑層を有する２層構造となっているので、継手本体１０にパイプＰを挿入する際に仮にパイプ斜め挿入となっても、この潤滑剤又は潤滑層によりインコアの先端がＯ−リング２０に引っ掛かり難くなり、管継手１からＯ−リング２０が逸脱するのを防止する。
【００４２】
また、インコア７０の継手本体内への挿入方向先端部に徐々に縮径するようなテーパ部７０ａをインコア７０が有しているので、継手本体１０にパイプＰを挿入する際に仮にパイプ斜め挿入となっても、インコア７０の先端がＯ−リング２０に引っ掛かり難くなり、管継手１からＯ−リング２０が逸脱するのを防止する。
【００４３】
なお、継手本体内へのインコア７０の挿入口に設けられた挿入ガイド部を長くすることでパイプ斜め挿入等によって生じる問題に対応しても良い。このようなガイド部を継手本体が有することで、継手本体１０にパイプＰを挿入する際に仮にパイプ斜め挿入となっても、ガイド部内にインコア７０を挿入している過程でインコア７０に調芯作用が働き、パイプＰの軸線を継手本体の軸線に合致させてパイプＰの先端がＯ−リング２０に局所的に引っ掛かることなく、管継手１の継手本体１０からＯ−リング２０が逸脱するのを防止する。
【００４４】
なお、図３は、上述した管継手の止水用シール部材逸脱防止構造を備えた管継手の接続されたヘッダー９０を示している。図３左側の管継手はヘッダー９０に管継手を取り付ける直前の状態を示しており、図３右側の管継手はヘッダー９０に取り付けられる管継手を分解して示した斜視図である。このような止水用シール部材逸脱防止構造を備えた管継手をヘッダー９０に接続することで、長期間にわたって水漏れのおそれのないヘッダーとして使用することが可能となる。
【００４５】
なお、上述の実施形態で記載した材質はあくまで例示的に示したもので、本発明の作用を発揮する材質であればどのようなものを使用しても構わない。
【００４６】
また、止水用シール部材としてのＯ−リングの断面形状は、本実施形態のようにＯ−リングの内周面が継手本体のパイプ挿入側開口部に向かって拡径するようにテーパ状をなすだけに限らず、外周面も同様なテーパ状をなす等、本発明の目的を発揮しうる他の断面形状であってもかまわない。
【図面の簡単な説明】
【００４７】
【図１】本発明の一実施形態にかかる管継手の継手本体を長手方向に沿って切断して示す断面図である。
【図２】従来の管継手及び本発明の一実施形態にかかる管継手をこれに挿入するパイプと共に長手方向に沿って切断して示す断面図である。
【図３】図１に示した管継手をこれが接続されるヘッダーと共に示す斜視図である。
【符号の説明】
【００４８】
１    管継手
１０    継手本体
１１    大径部
１１ａ    シール収容部
１２    中径部
１３    小径部
２０    Ｏ−リング
３０    スペーサ
４０    グリップリング
４１    係止爪
５０    サポートカラー
６０    エンドキャップ
７０    インコア
７０ａ    テーパ部
７１，７２，７３    Ｏ−リング
７４    鍔部
９０    ヘッダー
Ｐ    パイプ
【図１】
2007239806.tif 000003
【図２】
2007239806.tif 000004
【図３】
2007239806.tif 000005